(57)【要約】【課題】操作者の意図に反して電動送風機が動作することを防止した手乾燥装置を得ること。【解決手段】手乾燥装置１００は、前方から手が挿入される手乾燥空間６を下方に形成する本体ケース２と、本体ケース２の内部に高圧空気を発生させる電動送風機３と、本体ケース２の下面であるノズル保持面８に設けられ高圧空気を吹き出すノズル部４と、手乾燥空間６に挿入された手を検知する手検知部１０と、ノズル保持面８に手検知部１０よりも後側に設けられ、電動送風機３の運転状態を操作する操作部９と、ノズル保持面８に開閉可能に設置され、閉じられると操作部９を覆う操作部用カバー９７と、操作部用カバー９７の開閉を検知するカバー開閉検出部９８と、カバー開閉検出部９８の検出結果に連動して電動送風機３の運転を制御する制御部３０とを有し、制御部３０は、カバー開閉検出部９８の検出結果に連動して電動送風機３の運転を制御する。【選択図】図１
2020116176.tif 000002
【特許請求の範囲】
【請求項１】
前方から手が挿入される手乾燥空間を下方に形成する本体ケースと、
前記本体ケースの内部に高圧空気を発生させる電動送風機と、
前記本体ケースの下面であるノズル保持面に設けられ前記高圧空気を吹き出すノズル部と、
前記手乾燥空間に挿入された手を検知する手検知部と、
前記ノズル保持面に前記手検知部よりも後側に設けられ、前記電動送風機の運転状態を操作する操作部と、
前記ノズル保持面に開閉可能に設置され、閉じられると前記操作部を覆う操作部用カバーと、
前記操作部用カバーの開閉を検知するカバー開閉検出部と、
前記カバー開閉検出部の検出結果に連動して前記電動送風機の運転を制御する制御部とを有することを特徴とする手乾燥装置。
【請求項２】
前記制御部は、前記操作部用カバーが開いている場合は、前記電動送風機を強制停止状態にすることを特徴とする請求項１に記載の手乾燥装置。
【請求項３】
前記制御部は、前記強制停止状態の時に前記操作部用カバーが閉じられると、前記強制停止状態を解除することを特徴とする請求項２に記載の手乾燥装置。
【請求項４】
前記制御部は、前記操作部用カバーが閉じられてから一定時間経過後に前記強制停止状態を解除することを特徴とする請求項３に記載の手乾燥装置。
【請求項５】
前記操作部用カバーの開閉に関わらずに前記手乾燥空間に光を発する第１の発光素子と、
前記操作部用カバーが閉じられると前記操作部用カバーによって覆われ、前記操作部用カバーが開いている場合のみ前記手乾燥空間に光を発する第２の発光素子と、
前記第１の発光素子及び前記第２の発光素子が発する光の反射光を検出する受光素子とを有し、
前記第１の発光素子と前記第２の発光素子とは、互いに異なるタイミングで前記手乾燥空間に光を発し、
前記第１の発光素子と前記受光素子とが前記手検知部を構成し、
前記第２の発光素子と前記受光素子とが前記カバー開閉検出部を構成することを特徴とする請求項１から４のいずれか１項に記載の手乾燥装置。
【発明の詳細な説明】
【技術分野】
【０００１】
本発明は、濡れた手を乾燥させる手乾燥装置に関する。
【背景技術】
【０００２】
従来、高圧空気流を濡れた手に当てることで手を乾燥させる手乾燥装置が知られている。手乾燥装置には、清掃又はメンテナンスを行うために手乾燥装置のオンオフを切り替えることができる電源スイッチ、風量及び温度の調整などを行うことができるスイッチなどで構成された操作部が備えられている。
【０００３】
特許文献１には、本体ケースは床面と対向し且つノズル部を保持するノズル保持面を有し、ノズル保持面の一部は電動送風機方向に凹んだ凹部を有し、凹部は水平面に対して傾斜している第１平面を有し、第１平面は本体ケース２の前面側から本体ケースの後面側である壁面側に向かって床面方向に傾斜しており、第１平面に操作部を設けることで、手乾燥装置の一般利用者が容易に操作部に触れることを防止しつつ、操作者にとって操作部の視認性を向上させることができる構成とした手乾燥装置が開示されている。
【先行技術文献】
【特許文献】
【０００４】
【特許文献１】特開２０１５−１７７８５１号公報
【発明の概要】
【発明が解決しようとする課題】
【０００５】
しかしながら、特許文献１に開示される手乾燥装置は、手を乾燥させる目的で手乾燥装置を使用する利用者が容易に操作部に触れることがないように、操作部は本体ケース下部に、水平に近い角度で、床面に対向するように設置されている。しかし、清掃、メンテナンス又は風量調整などの目的で操作部を使用する操作者が行う動作は、本体ケースの正面側から本体ケース下部に手を抜き差しするという点においては利用者と同様である。したがって、特許文献１に開示される手乾燥装置は、操作者が操作部を操作しようとする際に、手検知部の反応により、操作者にとって意図しない電動送風機の動作を引き起こすという課題があった。
【０００６】
本発明は、上記に鑑みてなされたものであって、操作者の意図に反して電動送風機が動作することを防止した手乾燥装置を得ることを目的とする。
【課題を解決するための手段】
【０００７】
上述した課題を解決し、目的を達成するために、本発明は、前方から手が挿入される手乾燥空間を下方に形成する本体ケースと、本体ケースの内部に高圧空気を発生させる電動送風機と、本体ケースの下面であるノズル保持面に設けられ高圧空気を吹き出すノズル部と、手乾燥空間に挿入された手を検知する手検知部とを有する。本発明は、ノズル保持面に手検知部よりも後側に設けられ、電動送風機の運転状態を操作する操作部と、ノズル保持面に開閉可能に設置され、閉じられると操作部を覆う操作部用カバーと、操作部用カバーの開閉を検知するカバー開閉検出部と、カバー開閉検出部の検出結果に連動して電動送風機の運転を制御する制御部とを有する。
【発明の効果】
【０００８】
本発明によれば、操作者の意図に反して電動送風機が動作することを防止した手乾燥装置を得られるという効果を奏する。
【図面の簡単な説明】
【０００９】
【図１】本発明の実施の形態１に係る手乾燥装置の側断面を示す模式図
【図２】実施の形態１に係る手乾燥装置の手乾燥空間を通る水平断面を示す模式図
【図３】実施の形態１に係る手乾燥装置の操作部用カバーを開いた状態での側断面を示す模式図
【図４】本発明の実施の形態２に係る手乾燥装置の手乾燥空間を通る水平断面を示す模式図
【図５】実施の形態２に係る手乾燥装置の手検知部及びカバー開閉検出部の動作を示す図
【図６】実施の形態１又は実施の形態２に係る手乾燥装置の制御部の機能をハードウェアで実現した構成を示す図
【図７】実施の形態１又は実施の形態２に係る手乾燥装置の制御部の機能をソフトウェアで実現した構成を示す図
【発明を実施するための形態】
【００１０】
以下に、本発明の実施の形態に係る手乾燥装置を図面に基づいて詳細に説明する。なお、この実施の形態によりこの発明が限定されるものではない。
【００１１】
実施の形態１．
図１は、本発明の実施の形態１に係る手乾燥装置の側断面を示す模式図である。図２は、実施の形態１に係る手乾燥装置の手乾燥空間を通る水平断面を示す模式図である。実施の形態１に係る手乾燥装置１００は、外郭をなす本体ケース２と、本体ケース２の内部に高圧空気を発生させる電動送風機３と、電動送風機３の下方に高圧空気流１３を吹き出すノズル部４とを有する。電動送風機３からノズル部４に続く本体ケース２内部の風路には、吹き出す空気を温めるヒータ９９が配置されている。本体ケース２の背面には、壁掛け部５が設けられており、壁面１の凸部に壁掛け部５を係合させることによって、背面が壁面１に接するように壁面１に取り付けられる。本体ケース２の下方には、手乾燥装置１００の利用者が手１５を出し入れする手乾燥空間６が形成されている。
【００１２】
本体ケース２は、ノズル部４が設けられたノズル保持面８を備えている。ノズル保持面８は、下向きの面である。ノズル保持面８には、操作部９及び手検知部１０が配置されている。
【００１３】
手検知部１０は、操作部用カバー９７の開閉に関わらずに手乾燥空間６に光を発する第１の発光素子である発光素子１０ａ及び発光素子１０ａが発する光の反射光を検出する受光素子１０ｂを備えており、発光素子１０ａから発せられた光を受光素子１０ｂが受ける際に、光の反射量及び反射距離を検出し、手乾燥空間６に挿入された手１５を検知する。
【００１４】
また、制御部３０は、手検知部１０の検知結果に基づいて電動送風機３の運転を制御し、手１５を検知した場合のみ高圧空気流１３をノズル部４から吹き出させる。発光素子１０ａが発する赤外線は、水受け部１４で反射して反射光が受光素子１０ｂに送られるが、手乾燥空間６内に手１５を挿入すると反射光が増加する。受光素子１０ｂで受光する反射光の強度が予め設定された閾値を超えた場合に、制御部３０は電動送風機３を運転する。
【００１５】
ノズル部４から吹き出した高圧空気流１３が手乾燥装置１００の利用者の手１５に当たると、手１５に付着している水滴を吹き飛ばし、手１５を乾燥させる。手乾燥装置１００の利用者が手１５を乾燥させる際には、本体ケース２の前方から壁面１に向かって手乾燥空間６に手１５を挿入することが多い。手乾燥空間６に挿入された手１５が手検知部１０の検知範囲から外れて一定の時間が経過すると、電動送風機３は停止する。
【００１６】
ノズル保持面８に配置された操作部９は、手乾燥装置１００の通電を切り替える電源スイッチ９ａ、風量の切り替え用の風量スイッチ９ｂ、及び温度の切り替え用のヒータスイッチ９ｃを備える。なお、図２には、電源スイッチ９ａ、風量スイッチ９ｂ及びヒータスイッチ９ｃを各一つ図示しているが、複数備えてもよい。例えば、風量を複数段階設定可能であるならば、設定可能な段数と同じ数の風量スイッチ９ｂを備えてもよい。
【００１７】
操作部９は、ノズル保持面８において、手検知部１０の光軸中心７よりも本体ケース２の後面側に設けられている。
【００１８】
操作部９の床面側には、ノズル保持面８と嵌合する操作部用カバー９７が設置されている。操作部用カバー９７は、操作部９を下方から覆う。操作部用カバー９７は、開閉可能であり、操作部用カバー９７を開いた時には、操作部９は手乾燥空間６に露出する。
【００１９】
操作部用カバー９７は、手検知部１０の検知範囲から外れた位置にカバー取り外し用の溝９６が形成されており、手乾燥装置１００の開放側面から開閉できる。したがって、手乾燥装置１００の操作者は、手検知部１０の検知範囲外で操作部用カバー９７の開閉操作を行える。
【００２０】
図３は、実施の形態１に係る手乾燥装置の操作部用カバーを開いた状態での側断面を示す模式図である。操作部用カバー９７は、本体後面側の一部が軸形状となっており、本体ケース２のノズル保持面８に固定状態となっている。カバー取外し用の溝９６の部分から操作部用カバー９７を開けることで操作部９の各スイッチが操作可能となる。
【００２１】
実施の形態１に係る手乾燥装置１００は、汚れが溜まりやすい本体ケース２下部に操作部用カバー９７が固定されているため、利用者が手１５を乾燥させた際に手乾燥空間６に飛散した水滴が操作部９に浸入することがない。したがって、継続して使用した場合の操作部９への汚れの蓄積を防止することができる。また、操作部９内に水が浸入して電気部品を腐食させ故障するといった問題も防止することが可能となる。
【００２２】
また、操作部用カバー９７は着脱自在で取り外し可能であっても良い。操作部用カバー９７が着脱自在の場合には、操作部用カバー９７の外周縁部における上面部は、本体ケース２のノズル保持面８に対応した形状を有する。すなわち、操作部用カバー９７と本体ケース２のノズル保持面８とは嵌め合い構造によって連結されて固定可能とされる。これにより、操作部用カバー９７の外周縁部の上面部が本体ケース２のノズル保持面８に嵌ることで、操作部用カバー９７が本体ケース２に固定される。
【００２３】
手１５を乾燥する際に飛び散った水滴は操作部用カバー９７に付着し、使用を継続すると汚れが徐々についてくる。操作部用カバー９７を着脱自在にすることで、汚れが溜まりやすい本体ケース２の下部に固定された操作部用カバー９７を本体ケース２から取り外して容易に清掃することができる。
【００２４】
このように操作部９を操作部用カバー９７で覆うことで、利用者が容易に触れることがない位置に操作部９を配置することができる。
【００２５】
ノズル保持面８には、操作部用カバー９７の開閉を検出するカバー開閉検出部９８が設けられている。カバー開閉検出部９８は、操作部用カバー９７の開閉動作によりオンオフする機械式スイッチである。なお、カバー開閉検出部９８は、光学式スイッチ又は静電容量式スイッチであっても良い。操作部用カバー９７が開の状態の場合では、制御部３０が手検知部１０の機能をオフする構成となっており、操作部９の設定中に手検知範囲に手１５が挿入されてしまっても制御部３０が電動送風機３の運転を開始することはない。すなわち、実施の形態１に係る手乾燥装置１００は、操作部用カバー９７が開いている間は、制御部３０が電動送風機３を動作させない強制停止状態になる。また、各種設定が完了し、操作部用カバー９７が閉の状態になると、操作部９で設定した仕様の通りに運転を開始する。すなわち、実施の形態１に係る手乾燥装置１００は、操作部用カバー９７が閉じられると、制御部３０が電動送風機３を動作させない強制停止状態を解除する。
【００２６】
なお、操作部用カバー９７を閉じる際には、操作者が手乾燥空間６内に手１５を挿入しているため、操作部用カバー９７が閉じられると同時に手検知部１０の機能をオンするとノズル部４から手乾燥空間６に高圧空気流１３が吹き出されて、操作者の手１５に吹き付けられ、操作者が不快に感じることがある。したがって、制御部３０は、操作部用カバー９７が閉じられたことをカバー開閉検出部９８が検出してから一定時間が経過してから手検知部１０の機能をオンするようにしてもよい。すなわち、制御部３０は、操作部用カバー９７が閉じられてから一定時間経過後に強制停止状態を解除するようにしてもよい。操作部用カバー９７が閉じられてから一定時間経過後に手検知部１０の機能をオンすることにより、操作者が手乾燥空間６から手１５を引き抜いた後に手検知部１０の機能をオンさせることができ、操作者の手１５に高圧空気が吹き付けられることを防止することができる。
【００２７】
このように、実施の形態１にかかる手乾燥装置１００は、操作者が操作部９の設定を変更するために操作部用カバー９７を開けたときには、手検知部１０の機能がオフとなるため、操作部９の設定変更中に操作者にとって意図しない電動送風機３の動作を防止しつつ、操作部９を操作することができる。
【００２８】
すなわち操作者は、メンテナンス開始時に一旦操作部用カバー９７を開状態にしてしまえば電動送風機３の運転停止状態を維持できる。このため、手１５を本体ケース２の前面から後面である壁面１に向かって挿入するという、メンテナンス時に行う一般的な動作を行っても手検知部１０は反応しないため、意図せずに電動送風機３が動作することはなくなる。
【００２９】
また、操作者は下から覗き込んで操作部９を操作する場合が多いため、操作時に電動送風機３が動作した場合、高圧空気が操作者の顔に吹き付けられることがあり、操作者に不快感を抱かせることがある。実施の形態１に係る手乾燥装置１００は、操作者にとって意図しない電動送風機３の動作を防止することで操作者に不快感を抱かせることなく操作部９の操作を可能にできる。
【００３０】
以上のように、操作中の意図しない電動送風機３の運転で操作を阻害されることはなくなり、メンテナンス終了とともに、操作部用カバー９７を閉じることで電動送風機３の運転を開始できるので、使い勝手が良好な手乾燥装置１００を得ることができる。
【００３１】
また、上述ではカバー開閉検出部９８により、手検知部１０の機能をオフすることによって強制停止状態となり電動送風機３の運転を停止させるようにしているが、カバー開閉検出部９８の信号を制御部３０に送り、制御部３０が電動送風機３を停止させることによって強制停止状態となって、操作部用カバー９７が閉じるまで電動送風機３の停止を維持しても良い。
【００３２】
本発明によれば、本体ケース２の下面であるノズル保持面８に配置した操作部９を操作部用カバー９７で覆うことで、利用者が使用したときの水滴飛散による水付着を防ぐことができる。したがって、操作部９から本体ケース２内への水浸入を防ぐことができる。また、操作者が操作部用カバー９７を開ける動作と連動して、電動送風機３が停止するため、操作者にとって意図しない電動送風機３の動作を防止し、操作部９の操作性を向上させることができる。
【００３３】
実施の形態２．
図４は、本発明の実施の形態２に係る手乾燥装置の手乾燥空間を通る水平断面を示す模式図である。実施の形態２に係る手乾燥装置１００は、カバー開閉検知用の発光素子１０ｃを備えている。操作部用カバー９７の一部は、発光素子１０ｃに対して床面方向に平行に重なるよう配置されている。発光素子１０ｃは、操作部用カバー９７が閉じられると操作部用カバー９７によって覆われ、操作部用カバー９７が開いている場合のみ手乾燥空間６に光を発する第２の発光素子である。実施の形態２に係る手乾燥装置１００において、受光素子１０ｂは、発光素子１０ｃが発する光の反射光も検出する。発光素子１０ａと受光素子１０ｂとが手検知部１０を構成し、発光素子１０ｃと受光素子１０ｂとがカバー開閉検出部９８を構成する。実施の形態２に係る手乾燥装置１００において、操作部用カバー９７は、発光素子１０ｃが発する光の透過率が低い方が好ましい。
【００３４】
図５は、実施の形態２に係る手乾燥装置の手検知部及びカバー開閉検出部の動作を示す図である。図５の縦軸は、受光素子１０ｂにおける受光量を示しており、図５の横軸は時刻を示している。発光素子１０ａと発光素子１０ｃとは、互いに異なるタイミングで発光している。図５においては、時刻Ｔ１及び時刻Ｔ３において発光素子１０ａが発光し、時刻Ｔ２及び時刻Ｔ４において発光素子１０ｃが発光している。時刻Ｔ１は、手乾燥空間６に手１５が挿入されていない状態であり、受光素子１０ｂにおける受光量は、閾値Ｔｈ以下となっている。時刻Ｔ２は、操作部用カバー９７が開かれた状態であり、発光素子１０ｃが発した光が受光素子１０ｂにおいて受光されている。時刻Ｔ３は、手乾燥空間６に手１５が挿入された状態であり、発光素子１０ａが発した光が手１５で反射されることにより、受光素子１０ｂにおける受光量が閾値Ｔｈを超えている。時刻Ｔ４は、操作部用カバー９７が閉じられた状態であり、発光素子１０ｃが発した光が受光素子１０ｂにおいて受光されなくなっている。
【００３５】
時刻Ｔ１における受光素子１０ｂの受光量と時刻Ｔ２における受光素子１０ｂの受光量とは同じであるが、発光素子１０ａと発光素子１０ｃとは、異なるタイミングで周期的に発光しているため、制御部３０は、発光素子１０ａ，１０ｃのどちらが発した赤外光が受光素子１０ｂに到達しているかを判別可能である。したがって、制御部３０は、発光素子１０ｃが光を発するタイミングにおいて反射光が受光素子１０ｂに到達している場合には、操作部用カバー９７が開状態であると判断する。また、操作部用カバー９７を閉状態にすると、発光素子１０ｃが操作部用カバー９７に覆われるため、発光素子１０ｃが発した赤外光の反射光は、受光素子１０ｂに到達しなくなる。したがって、制御部３０は、発光素子１０ｃが光を発するタイミングにおいて反射光が受光素子１０ｂに到達していない場合には、操作部用カバー９７が閉状態であると判断する。
【００３６】
すなわち、操作部用カバー９７の開閉状態と発光素子１０ｃが発した赤外光の反射光の受光素子１０ｂでの受光量の変化とが連動するため、手検知部１０を利用して、操作部用カバー９７の開閉状態を認識することができる。
【００３７】
実施の形態２に係る手乾燥装置１００は、手検知部１０を構成する受光素子１０ｂを利用して操作部用カバー９７の開閉を検出するため、カバー開閉検出用の受光素子を別個に設ける必要がなく、操作部９周辺の構造を簡素化することが可能となる。
【００３８】
上記の実施の形態１及び実施の形態２に係る制御部３０の機能は、処理回路により実現される。処理回路は、専用のハードウェアであっても、記憶装置に格納されるプログラムを実行する処理装置であってもよい。制御部３０には、マイクロコントローラを適用可能であるが、これに限定されない。
【００３９】
処理回路が専用のハードウェアである場合、処理回路は、単一回路、複合回路、プログラム化したプロセッサ、並列プログラム化したプロセッサ、特定用途向け集積回路、フィールドプログラマブルゲートアレイ、又はこれらを組み合わせたものが該当する。図６は、実施の形態１又は実施の形態２に係る手乾燥装置の制御部の機能をハードウェアで実現した構成を示す図である。処理回路２９には、制御部３０の機能を実現する論理回路２９ａが組み込まれている。
【００４０】
処理回路２９が処理装置の場合、制御部３０の機能は、ソフトウェア、ファームウェア、又はソフトウェアとファームウェアとの組み合わせにより実現される。
【００４１】
図７は、実施の形態１又は実施の形態２に係る手乾燥装置の制御部の機能をソフトウェアで実現した構成を示す図である。処理回路２９は、プログラム２９ｂを実行するプロセッサ２９１と、プロセッサ２９１がワークエリアに用いるランダムアクセスメモリ２９２と、プログラム２９ｂを記憶する記憶装置２９３を有する。記憶装置２９３に記憶されているプログラム２９ｂをプロセッサ２９１がランダムアクセスメモリ２９２上に展開し、実行することにより、制御部３０の機能が実現される。ソフトウェア又はファームウェアはプログラム言語で記述され、記憶装置２９３に格納される。プロセッサ２９１は、中央処理装置を例示できるがこれに限定はされない。記憶装置２９３は、ＲＡＭ（Random  Access  Memory）、ＲＯＭ（Read  Only  Memory）、フラッシュメモリ、ＥＰＲＯＭ（Erasable  Programmable  Read  Only  Memory）、又はＥＥＰＲＯＭ（登録商標）（Electrically  Erasable  Programmable  Read  Only  Memory）といった半導体メモリを適用できる。半導体メモリは、不揮発性メモリでもよいし揮発性メモリでもよい。また記憶装置２９３は、半導体メモリ以外にも、磁気ディスク、フレキシブルディスク、光ディスク、コンパクトディスク、ミニディスク又はＤＶＤ（Digital  Versatile  Disc）を適用できる。なお、プロセッサ２９１は、演算結果といったデータを記憶装置２９３に出力して記憶させてもよいし、ランダムアクセスメモリ２９２を介して不図示の補助記憶装置に当該データを記憶させてもよい。
【００４２】
処理回路２９は、記憶装置２９３に記憶されたプログラム２９ｂを読み出して実行することにより、制御部３０の機能を実現する。プログラム２９ｂは、制御部３０の機能を実現する手順及び方法をコンピュータに実行させるものであるとも言える。
【００４３】
なお、処理回路２９は、制御部３０の機能の一部を専用のハードウェアで実現し、制御部３０の機能の一部をソフトウェア又はファームウェアで実現するようにしてもよい。
【００４４】
このように、処理回路２９は、ハードウェア、ソフトウェア、ファームウェア、又はこれらの組み合わせによって、上述の各機能を実現することができる。
【００４５】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４６】
１  壁面、２  本体ケース、３  電動送風機、４  ノズル部、５  壁掛け部、６  手乾燥空間、７  光軸中心、８  ノズル保持面、９  操作部、９ａ  電源スイッチ、９ｂ  風量スイッチ、９ｃ  ヒータスイッチ、１０  手検知部、１０ａ，１０ｃ  発光素子、１０ｂ  受光素子、１３  高圧空気流、１４  水受け部、１５  手、２９  処理回路、２９ａ  論理回路、２９ｂ  プログラム、３０  制御部、９６  溝、９７  操作部用カバー、９８  カバー開閉検出部、９９  ヒータ、１００  手乾燥装置、２９１  プロセッサ、２９２  ランダムアクセスメモリ、２９３  記憶装置。
【図１】
2020116176.tif 000003
【図２】
2020116176.tif 000004
【図３】
2020116176.tif 000005
【図４】
2020116176.tif 000006
【図５】
2020116176.tif 000007
【図６】
2020116176.tif 000008
【図７】
2020116176.tif 000009